(57)【要約】【課題】  後位に接続した有線通信端末の呼を検出してＰＨＳ回線を介して通信を行うＰＨＳ通信装置では設定の際又は設定内容を確認するためには装置を一旦壁や天井部から取り外し、設定完了後に取り付ける作業が発生する為、設定作業効率が非常に悪い。【解決手段】  当該通信装置に対して設定要求メールを送信する。そのメール上に設定用のコマンドと、設定を有効とする為の暗証番号と、設定内容を入力したメッセージを当該通信装置で受信することで他のＰＨＳ端末からの遠隔操作により容易に装置の設定をするとともに設定状態を確認する。【選択図】図３
2007214878.tif 000002
【特許請求の範囲】
【請求項１】
メール受信機能（自動受信端末間メール）を搭載し、本装置以外のＰＨＳ端末から当該
通信装置に設定用のコマンドと、設定を有効とする為の暗証番号と、設定内容を入力した
メッセージを当該通信装置に送信することにより、当該通信装置が受信したメールの本文
を解釈し、当該通信装置への有効情報と判断した場合、同通信装置の内部記憶装置を設定
する機能を備えたことを特徴とするＰＨＳ通信装置。
【請求項２】
設定コマンド等を含む設定内容をメール送信したＰＨＳ端末に対して、設定完了の報告
や各種事由により設定が出来なかった旨のメッセージを自動で生成し、当該通信装置のメ
ール送信機能によって返信することにより、設定内容をメール送信したＰＨＳ端末で設定
結果を確認する機能を備えたことを特徴とする請求項１に記載のＰＨＳ通信装置。
【請求項３】
当該通信装置を工場出荷後初めて起動した後、当該通信装置に対して１番最初に設定要
求を行ったＰＨＳ端末が指定した設定を有効とする為の暗証番号を以降の全ての設定に係
る要求に対して設定を有効とする為の暗証番号として認識する機能を備えたことを特徴と
する請求項１〜２に記載のＰＨＳ通信装置。
【請求項４】
ＰＨＳ端末からメールにより設定内容確認を要求するコマンドと、設定を有効とする為
の暗証番号を受信する事により、現在登録されている全ての設定内容を自動的にメール本
文として生成し、要求したＰＨＳ端末に返信する機能を備えた事を特徴とする請求項１〜
３に記載のＰＨＳ通信装置。
【発明の詳細な説明】
【技術分野】
【０００１】
本発明は、アナログポートを有したＰＨＳ端末で、後位に接続した有線通信端末の呼を
検出してＰＨＳ回線を介して通信を行うＰＨＳ通信装置に関する。
【背景技術】
【０００２】
ＰＨＳ通信装置においてボタン等の操作部やＬＣＤ等の情報表示部を装備しない場合、
内部の記憶装置に対して設定を行う方法として、DIPスイッチなどによるハードウェア入
力手段や、保守用通信コネクタ経由で外部のコンピュータで設定を行う等の手段がある
【０００３】
DIPスイッチなどによるハードウェア入力手段に拠った場合、許可された当該装置を運
用する者以外の第三者であっても設定する事ができてしまう。
【０００４】
設置方法として、ＰＨＳ網とのより良い通信品質を確保する為、窓際の高い位置に壁掛
けをしたり、天井部に設置をしたりする。
【０００５】
設定の際や設定内容を確認するためには装置を一旦壁や天井部から取り外し、設定完了
後に取り付ける作業が発生する為、作業効率が非常に悪い。
【発明の開示】
【発明が解決しようとする課題】
【０００６】
装置の性質上、良い通信状態の確保と邪魔にならない場所に設置することや、イタズラ
防止を考慮すると必然的に手が届かない高い位置への設置が当然となるが機器設定の作業
性は非常に悪い。
【０００７】
また、本装置の用途向きとしては装置の設定に必要なボタン等の操作部、ＬＣＤ等の表
示部を備えないことが通常の機器構成となることからハードウェア入力手段となる。
【課題を解決するための手段】
【０００８】
そこで本発明はメールを使用して、当該通信装置に対してメールを送信することにより、
そのメール上に設定用のコマンドと、設定を有効とする為の暗証番号と、設定内容を入力
したメッセージを当該通信装置で受信することで他のＰＨＳ端末からの遠隔操作により容
易に装置の設定をするとともに設定状態を確認する。
【発明の効果】
【０００９】
メールを使った遠隔操作で当該通信装置の設定をするため、設定のための壁や天井から
の取り外し、取り付け作業を省略できる。
【００１０】
当該通信装置の設定結果を設定要求したＰＨＳ端末にて、その場で確認ができる。
【００１１】
装置の設定を有効とする為の暗証番号を設定することにより装置を運用する者以外の第
三者が設定する事の防止となる。
【発明を実施するための最良の形態】
【００１２】
次に、本発明の実施形態について図面を参照して詳細に説明する。図１ は本発明のＰＨ
Ｓ通信装置にかかわる実施形態の構成を示すブロック図である。図１ に示すように、回線
インターフェースを備え、後位に有線通信端末を接続可能な構成となっている。
【００１３】
図１に記載がある表示部については、備えない構成の場合に本発明の優位性が発揮され
る。この用途の従来型ＰＨＳ通信装置の場合、表示部は備えないのが通常であり、その場
合、ＤＩＰスイッチで設定するか、パソコンにて保守用通信コネクタ経由で設定するしか
方法が無い。
【００１４】
図２はＰＨＳ通信装置に対して設定要求するメールにおけるメッセージフォーマットの
例を記載してある。番号３部分の暗証番号により設定を有効とする要求か否かをＰＨＳ通
信装置が判断をすることになる。
【００１５】
図３はＰＨＳ通信装置Ｓ１０の設定フローを記載したもので、最初にＰＨＳ端末Ｓ１２
において図２のメッセージフォーマットに従い設定メッセージＳ１３を作成する。設定メ
ールをＰＨＳ通信装置Ｓ１０にメール送信Ｓ１４する。メール受信Ｓ１５したらメッセー
ジ分析Ｓ１６を行い、その内容で装置設定Ｓ１７を行い設定結果についての返信メッセー
ジ生成Ｓ１８を実施し、返信メッセージをＰＨＳ端末Ｓ１２に対してメール送信Ｓ１９を
行う。ＰＨＳ端末Ｓ１２ではＰＨＳ通信装置Ｓ１０に対して行った設定結果をメール受信
Ｓ２０し、メッセージ表示Ｓ２１で確認することが可能となる。
【００１６】
図４はＰＨＳ通信装置が受信メールの内容を解釈していくフローを示したものである。
工場出荷後の最初の設定要求メールであれば、その暗証番号を以降の全ての設定要求に対
する暗証番号として登録する。またそのＰＨＳ端末を代表ＰＨＳ端末として登録する。
暗証番号を設定した以降は、設定要求メールを受信すると記述された設定コマンドの内容
から暗証番号の照合を行い、暗証番号が一致すると設定内容の分析と処理工程に移行する。
その後、設定要求内容の実施結果についてのメッセージの送信文を作成し設定要求を行っ
たＰＨＳ端末に対してメール送信を行う。暗証番号の不一致の場合は、エラーメッセージ
の送信文を作成しメール送信を行う。
ＰＨＳ通信装置からの返信メッセージを受信したＰＨＳ端末では、ＰＨＳ通信装置に対し
て設定要求した結果の内容についての、完了メッセージ又はエラーメッセージが着信し、
設定要求結果である設定内容表示が読みとれる。
【図面の簡単な説明】
【００１７】
【図１】ＰＨＳ通信装置のブロック図。
【図２】設定要求メッセージフォーマット。
【図３】ＰＨＳ通信装置の設定フロー。
【図４】設定要求受信フローチャート。
【図１】
2007214878.tif 000003
【図２】
2007214878.tif 000004
【図３】
2007214878.tif 000005
【図４】
2007214878.tif 000006